(57)【特許請求の範囲】
【請求項１】
ケーソン等の製造に当たり大量のコンクリートが使用されるコンクリート構造物の構築に際して使用するコンクリート型枠において、
天然ゴム、合成ゴムもしくは合成樹脂等の弾性材製の型枠本体内に剛性材をほぼ全面にわたって埋設し、その剛性材に一端を固定した接続鉄筋を内側に向けて所定間隔に複数本突出させ、その接続鉄筋の他端をコンクリート構造物を構成する鉄筋に接続し、その型枠本体内にコンクリートを打設して全一体に構成することを特徴とするコンクリート型枠。
【発明の詳細な説明】
【０００１】
【発明の属する技術分野】
本発明は、港湾構造物の建設に使用されるケーソン等のコンクリート構造物の製造時に用いるコンクリート型枠に関する。
【０００２】
【従来の技術】
港湾構造物の建設に使用されるケーソンに代表されるコンクリート構造物は、製造に大量のコンクリートが使用されることから、コンクリートの硬化時の水和熱の発生による構造物内部と外部との温度差の影響により、コンクリートの表面にひび割れが発生する。
【０００３】
そこで、それらのひび割れにはコンクリート型枠を外した後に樹脂等を注入して補修する作業が行われている。
また、そのひび割れの発生をなるたけ少なくするために、樹脂製のシートや発泡体の保温材で型枠の表面を覆うことが行われている。
【０００４】
【発明が解決しようとする課題】
このような従来技術によると、各ひび割れをさがしてそれに樹脂等を圧入して補修する作業は非常に手間がかかり、しかも根本的な解決策とはならない問題がある。
また、型枠の表面を覆うシート等の保温材を用いると、構造物を脱型した後にこれら保温材は再利用することが困難であり、廃棄物となるためにその処理が大きな問題となっている。
【０００５】
【課題を解決するための手段】
ケーソン等の製造に当たり大量のコンクリートが使用されるコンクリート構造物の構築に際して使用するコンクリート型枠において、天然ゴム、合成ゴムもしくは合成樹脂等の弾性材製の型枠本体内に剛性材をほぼ全面にわたって埋設し、その剛性材に一端を固定した接続鉄筋を内側に向けて所定間隔に複数本突出させ、その接続鉄筋の他端をコンクリート構造物を構成する鉄筋に接続し、その型枠本体内にコンクリートを打設して全一体に構成することを特徴とする。
【０００６】
【発明の実施の形態】
以下に本発明の実施の形態を図面を用いて説明する。
第１実施の形態例
図１は部分横断面図、図２は部分縦断面図であり、図において、１は型枠本体であり、天然ゴム、合成ゴムもしくは合成樹脂等の弾性材製である。この型枠本体１内には鋼鉄や合成樹脂製の板や網状体による剛性材２がほぼ全面にわたって埋設されており、その剛性材２に一端を固定した接続鉄筋３が内側に向けて所定間隔に複数本突出している。
【０００７】
なお、上記の構成において、剛性材２の埋設位置はどこでもよいが、中心より多少内側に位置させておくとよい。
このようにした型枠本体１を組み立て、コンクリート構造物４を構成する鉄筋５に接続鉄筋３の他端をワイヤや溶接等によって接続して一体に構成する。
このようにした型枠本体１内にコンクリートを打設することにより、型枠本体１による枠内と枠外との断熱作用が働き、コンクリートの硬化時に発生する水和熱による構造物内部と外部との温度差が縮少され、温度反応の発生が抑制されて表面にひび割れの発生を防ぐことができる。
【０００８】
さらに、この型枠本体１は構造物４成形後もそのまま一体として構成されるものである。型枠本体１は弾性材と剛性材２の複合構造となっているために、緩衝作用と耐磨耗作用があり、これによってコンクリート構造物４の表部を保護することになる。例えば、図３に示す如く、波浪の作用によって消波ブロックが振動することにより、構造物４に接触や衝突が繰り返されるが、その衝撃力や摩擦力に対して対抗することができ、構造物４の破損や磨耗を防ぐことができ長期にわたって構造物４はその機能をたもつことができる。
【０００９】
第２実施の形態例
図４は部分縦断面図であり、図において、１は型枠本体であり、古タイヤや古防舷材等のゴムチップをかためた弾性材製である。この型枠本体１の内側面に鋼鉄や合成樹脂製の板や網状体による剛性材２がほぼ全面にわたってアンカーボルト６で一体に取り付けられている。
【００１０】
このような型枠本体１においても断熱効果が得られ、上記第１実施の形態例と同様の作用・効果が得られる。
第３実施の形態例
図５は部分縦断面図であり、図において、１は型枠本体であり、古新聞や古雑誌等の古紙７を天然ゴム、合成ゴムもしくは合成樹脂等の弾性材内に封入した弾性材製である。この型枠本体１の内側面に鋼鉄や合成樹脂製の板や網状体による剛性材をほぼ全面にわたって一体に取り付るか、剛性材を取り付けず弾性体そのままの型枠本体１（図５には剛性材のないものを示す。）に所定間隔にアンカーボルト６を取り付けておく。
【００１１】
このようにした型枠本体１を組み立て、構造物４を構成する鉄筋にアンカーボルト６を溶接等によって接続して一体に構成する。
このような型枠本体１においても断熱効果が得られ、上記第１実施の形態例と同様の作用・効果が得られる。
以上の各実施の形態例のような構成によるコンクリート硬化時の温度変化を図６に示すと、各測定時間毎の温度を結んだ曲線は、鋼板のみを型枠とした場合と比較して大きいことがわかる。これは、本発明では時間経過に対するコンクリート内部の温度の低下の割合が小さいことを意味しており、鋼板のみを用いた場合と比較して内部の温度が緩やかに低下してゆくことを示している。
【００１２】
これによって、本発明ではコンクリート硬化時の温度変化を低減させ、水和熱による温度変化によって生じるコンクリートのひび割れを防ぐことができる。
また、図７は弾性材としたゴム材の中に剛性材として鋼板を埋設した試験体をコンクリート製の梁に取り付け、重さ１００ｋｇの重錘を落下させて梁の曲げ応力を測定した結果を示し、かつ、コンクリート梁のみの場合と比較したものである。
【００１３】
この図によると、各々のケースにおいて、曲げ応力が最大から下降に移る点において、梁が破壊しているが、本発明のものにおける重錘の衝突時のエネルギーはコンクリートのみの場合より大きな衝突エネルギーに耐えることができることがわかる。
よって、弾性材と剛性材の複合材によるコンクリート型枠は、衝撃緩和効果と補強効果によりコンクリート構造物の破壊防止の作用があることがわかる。
【００１４】
【発明の効果】
以上詳細に説明した本発明によると、コンクリート構造物の構築に際して使用するコンクリート型枠において、弾性材と剛性材の複合材によるコンクリート型枠を使用することにより、コンクリートの硬化時に発生する水和熱によるコンクリート表面に生ずるひび割れを防止することができる効果を有する。
【００１５】
また、この型枠を成型後も構造物の周面に固着させておくことにより、耐磨耗性および耐衝撃性にすぐれ、構造物の破壊を防ぎ、しかも耐久性を向上させることができる効果を有する。
【図面の簡単な説明】
【図１】第１実施の形態例を示す部分横断面図
【図２】同部分縦断面図
【図３】消波ブロックが交番的に構造体に衝突する説明図
【図４】第２実施の形態例を示す部分縦断面図
【図５】第３実施の形態例を示す部分縦断面図
【図６】各実施の形態例のコンクリート硬化時の温度変化を示すグラフ
【図７】耐衝突エネルギーを示すグラフ
【符号の説明】
１  型枠本体
２  剛性材
３  接続鉄筋
４  コンクリート構造物
５  鉄筋
６  アンカーボルト
７  古紙
【図１】
0004224565.tif 000002
【図２】
0004224565.tif 000003
【図３】
0004224565.tif 000004
【図４】
0004224565.tif 000005
【図５】
0004224565.tif 000006
【図６】
0004224565.tif 000007
【図７】
0004224565.tif 000008